(57)【要約】【課題】  筆箱に入らなかったり、煩雑に机の上に散らかっていた、定規や道具の機能を使いやすく、収納しやすく、携帯しやすい一枚の定規にし、描くのが難しく、時間のかかった大きさ自在で相似の正多角形を早く、簡単に描ける多機能定規を提供する。【解決手段】  直線定規の端部に半円分度器を一体に形成し、表面に第一の正多角形と同じ外心と同じ外接円を持つ倍角数の第二の正多角形を描画し、その第一の正多角形と倍角数の第二の正多角形の同位置にある外心と同外接円にある第一の正多角形と第二の正多角形の共通となる頂点と他の第二の正多角形の頂点に貫通孔を設ける。  本発明を使用するときは外心孔と各頂点孔に筆記具の芯先を挿入してマークし、マークした外心から各頂点を通る放射状の各半直線上で任意の各同半径となる外接円上に正多角形の頂点となる交点をマークし、マークした正多角形の各頂点を線で結べば、相似で大きさ自在の正多角形を簡単に描けるようにしたコンパクトな多機能定規。【選択図】図１
2009269386.tif 000002
【特許請求の範囲】
【請求項１】
扁平板状の定規の表面に第一の正多角形と同じ外心と同じ外接円を持つ倍角数の第二の正多角形を描画し、その第一の正多角形と倍角数の第二の正多角形の同位置にある外心と同外接円にある第一の正多角形と第二の正多角形の共通となる頂点と他の第二の正多角形の頂点に貫通孔を設けたことを特徴とする多機能定規。
【請求項２】
長方形体直線定規の端部縦幅距離に同等距離の直径を持つ半円分度器を一体に形成したことを特徴とする請求項１に記載の多機能定規。
【発明の詳細な説明】
【技術分野】
【０００１】  本発明は、いろいろな定規や道具の機能を使いやすく、収納しやすく、携帯しやすいように一枚の定規に半円分度器と直線定規を一体に形成し、描くことが難しかった各種正多角形を相似で大きさ自在に早く、簡単に描けるようにした多機能定規に関するものである。
【背景技術】
【０００２】  従来は、正多角形を描こうとするといろいろな定規や道具を使い、正多角形の中心角や内角を計算してから分度器を使ったり、直線定規、コンパスなど幾つかの道具を使って描くために難しく、困難で時間もかかった。【０００３】  また、定規内に複数の正多角形をくり抜いたものもあるが、この場合は小さな限られた大きさの正多角形を描くだけで、大きさ自在の相似した正多角形を描く事はできなかった。【０００４】  いろいろな定規や道具を使うと机の上が煩雑になり、物や手にぶつかって落としたりした。また、多くの定規や道具を使えば、それだけエネルギーも使い、製造コストもかかる。
【発明の開示】
【発明が解決しようとする課題】
【０００５】  （イ）正多角形を描こうとすると中心角や内角を計算してから分度器を使ったり、直線定規、コンパスなど幾つかの道具を使い、難しく時間もかかった。
（ロ）分度器や直線定規、コンパスなどいろいろな道具を使うと煩雑で机の上が散らかった。
本発明は以上の問題点を解決し、分度器や直線定規、コンパスなどの定規や道具の機能を一枚に集約する事で余分な物を減らし、製造コストを抑え、使いやすく、便利で環境に優しい定規を提供するものである。
【課題を解決するための手段】
【０００６】  直線定規の端部に半円分度器を一体に形成し、表面に第一の正多角形と同じ外心と同じ外接円を持つ倍角数の第二の正多角形を描画し、その第一の正多角形と倍角数の第二の正多角形の同位置にある外心と同外接円にある第一の正多角形と第二の正多角形の共通となる頂点と他の第二の正多角形の頂点に貫通孔を設ける。
本発明を使用するときは外心孔と各頂点孔に筆記具の芯先を挿入してマークし、マークした外心から各頂点を通る放射状の各半直線上で任意の各同半径の外接円上に正多角形の頂点となる交点をマークし、マークした正多角形の各頂点を線で結べば、相似で大きさ自在の正多角形を簡単に描ける。以上を特徴とする多機能定規である。
【発明の効果】
【０００７】    一枚の定規に多機能を設けたことで幾つかの定規や道具を使わずに直線を引いたり、距離を測ったり、角度を測ってマークしたり、難しかった相似の大きさ自在な正多角形を早く、簡単に描くことができる。
また、コンパクトにしたことで製造コストを抑え、再生材を使えば、省エネ、エコロジーにもなり、環境にも優しく、便利で煩雑な机の上がスッキリして、仕事がしやすくなる。
【発明を実施するための最良の形態】
【０００８】  以下、本発明の実施の形態を説明する。
（イ）図１の直線定規板（５）の上横直線縁と下横直線縁に距離目盛り（６）と距離数（７）を設け、直線定規板（５）の端部縦幅に同等の直径を持つ半円分度器（１）を一体に形成する。
（ロ）図２に示す第一の正多角形（Ａ）の正三角形（８）と同じ外心と同じ外接円を持つ倍角数の第二の正多角形（Ｂ）の正六角形（１１）を第一の正多角形（Ａ）の外側に描画し、その正三角形（８）と正六角形（１１）の同位置にある共通外心（１４）と同外接円の共通頂点（１７ａ〜１７ｃ）と他の頂点（２０ａ〜２０ｃ）に貫通孔を設ける。
（ハ）図２に示す第一の正多角形（Ａ）の正四角形（９）と同じ外心と同じ外接円を持つ倍角数の第二の正多角形（Ｂ）の正八角形（１２）を第一の正多角形（Ａ）の外側に描画し、その正四角形（９）と正八角形（１２）の同位置にある共通外心（１５）と同外接円の共通頂点（１８ａ〜１８ｄ）と他の頂点（２１ａ〜２１ｄ）に貫通孔を設ける。
（ニ）図２に示す第一の正多角形（Ａ）の正五角形（１０）と同じ外心と同じ外接円を持つ倍角数の第二の正多角形（Ｂ）の正十角形（１３）を第一の正多角形（Ａ）の外側に描画し、その正五角形（１０）と正十角形（１３）の同位置にある共通外心（１６）と同外接円の共通頂点（１９ａ〜１９ｅ）と他の頂点（２２ａ〜２２ｅ）に貫通孔を設ける。
（ホ）図１に示す半円分度器（１）の曲線縁に角度目盛り（２）と内側に角度数（３）を設け、半円分度器（１）の中心に貫通孔（４）を設ける。【０００９】  本発明は以上のような構造で、これを使用するときは図１の直線定規板（５）の距離目盛り（６）と距離数（７）により、距離を計ったり、任意の距離に直線を引くことができる。【００１０】  図１の半円分度器（１）の角度目盛り（２）と角度数（３）により、図の角度を読み取ることができ、任意の角度にマークすることができる。また、半円分度器（１）の０度と中心孔（４）と任意の角度にマークし、この三点を結べば、正多角形の中心角や頂角を描いたり、計ることができる。【００１１】  図２の第一の正多角形（Ａ）で正三角形（８）の外心孔（１４）と頂点孔（１７ａ〜１７ｃ）に筆記具の芯先を挿入してマークし、この外心孔（１４）から頂点孔（１７ａ）のマークした二点を通る半直線上の任意の距離にマークする、同じように外心孔（１４）と頂点孔（１７ｂ）のマークした二点を通る半直線上の同距離にマークする、同じように外心孔（１４）と頂点孔（１７ｃ）のマークした二点を通る半直線上の同距離にマークする、このように外心から各頂点を放射線状に伸びた半直線上に同半径の外接円となる交点は正多角形の頂点となるため、マークした点を線で結べば、相似した任意の大きさ自在の正三角形を描くことができる。また、同外心と同外接円を持つ倍角数の第二の正多角形（Ｂ）で正六角形（１１）も同じように外心孔（１４）と共通頂点孔（１７ａ〜１７ｃ）、他の頂点孔（２０ａ〜２０ｃ）にマークし、この外心孔（１４）から各共通頂点孔（１７ａ〜１７ｃ）、各頂点孔（２０ａ〜２０ｃ）のマークした二点を通る放射線状に伸びた各半直線上に同半径の外接円となる交点は正多角形の頂点となるため、この同距離でマークした点を線で結べば、相似した任意の大きさ自在の正六角形を描くことができる。【００１２】  図２の第一の正多角形（Ａ）で正四角形（９）の外心孔（１５）と頂点孔（１８ａ〜１８ｄ）、に筆記具の芯先を挿入してマークし、この外心孔（１５）から頂点孔（１８ａ）のマークした二点を通る半直線上の任意の距離にマークする、同じように外心孔（１５）と頂点孔（１８ｂ）のマークした二点を通る半直線上の同距離にマークする、同じように外心孔（１５）と頂点孔（１８ｃ）のマークした二点を通る半直線上の同距離にマークする、同じように外心孔（１５）と頂点孔（１８ｄ）のマークした二点を通る半直線上の同距離にマークする、このように外心から各頂点を放射線状に伸びた各半直線上に同半径の外接円となる交点は正多角形の頂点となるため、この同距離でマークした点を線で結べば、相似した任意の大きさ自在の正四角形を描くことができる。また、同外心と同外接円を持つ倍角数の第二の正多角形（Ｂ）で正八角形（１２）も同じように外心孔（１５）と共通頂点孔（１８ａ〜１８ｄ）、他の頂点孔（２１ａ〜２１ｄ）にマークし、この外心孔（１５）から各共通頂点孔（１８ａ〜１８ｄ）、各頂点孔（２１ａ〜２１ｄ）のマークした二点を通る放射線状に伸びた各半直線上に同半径の外接円となる交点は正多角形の頂点となるため、この同距離でマークした点を線で結べば、相���した任意の大きさ自在の正八角形を描くことができる。【００１３】  図２の第一の正多角形（Ａ）で正五角形（１０）の外心孔（１６）と頂点孔（１９ａ〜１９ｅ）に筆記具の芯先を挿入してマークし、この外心孔（１６）から頂点孔（１９ａ）のマークした二点を通る半直線上の任意の距離にマークする、同じように外心孔（１６）と頂点孔（１９ｂ）のマークした二点を通る半直線上の同距離にマークする、同じように外心孔（１６）と頂点孔（１９ｃ）のマークした二点を通る半直線上の同距離にマークする、同じように外心孔（１６）と頂点孔（１９ｄ）のマークした二点を通る半直線上の同距離にマークする、同じように外心孔（１６）と頂点孔（１９ｅ）のマークした二点を通る半直線上の同距離にマークする、このように外心から各頂点を放射線状に伸びた各半直線上で同半径の外接円となる交点は正多角形の頂点となるため、このマークした点を線で結べば、相似した任意の大きさ自在の正五角形を描くことができる。また、同外心と同外接円を持つ倍角数の第二の正多角形（Ｂ）で正十角形（１３）も同じように外心孔（１６）と共通頂点孔（１９ａ〜１９ｅ）、他の頂点孔（２２ａ〜２２ｅ）にマークし、この外心孔（１６）から各共通頂点孔（１９ａ〜１９ｅ）、各頂点孔（２２ａ〜２２ｅ）のマークした二点を通る放射線状に伸びた各半直線上に同半径の外接円となる交点は正多角形の頂点となるため、この同距離でマークした点を線で結べば、相似した任意の大きさ自在の正十角形を描くことができる。
【図面の簡単な説明】
【００１４】
【図１】本発明の平面図
【図２】本発明の要部を示す拡大図（イ）は第一の正多角形の正三角形と第二の正多角形の正六角形を表す拡大図（ロ）は第一の正多角形の正四角形と第二の正多角形の正八角形を表す拡大図（ハ）は第一の正多角形の正五角形と第二の正多角形の正十角形を表す拡大図
【符号の説明】
【００１５】  １      半円分度器
２      角度目盛り
３      角度数
４      半円分度器中心孔
５      直線定規板
６      距離目盛り
７      距離数
８      正三角形
９      正四角形
１０      正五角形
１１      正六角形
１２      正八角形
１３      正十角形
１４〜１６    正三角形〜正十角形の外心孔
１７ａ〜１７ｃ    正三角形と正六角形の共通頂点孔
１８ａ〜１８ｄ    正四角形と正八角形の共通頂点孔
１９ａ〜１９ｅ    正五角形と正十角形の共通頂点孔
２０ａ〜２０ｃ    正六角形の頂点孔
２１ａ〜２１ｄ    正八角形の頂点孔
２２ａ〜２２ｅ    正十角形の頂点孔
Ａ    第一の正多角形
Ｂ    第二の正多角形
【図１】
2009269386.tif 000003
【図２】
2009269386.tif 000004